(57)【要約】【課題】処理装置と表示装置との組み合せからなる情報表示装置の電源ＯＮ／ＯＦＦの操作性の向上を目的とする。【解決手段】  画像を処理する処理装置１０と、処理装置からの画像や外部入力画像を表示する表示装置２０とからなる情報表示装置において、処理装置と前記表示装置とに共通のスイッチ手段３０と、スイッチ手段の操作状態を検出するスイッチ検出手段４０と、処理装置の電源１２と表示装置の電源２２の状態を検出する電源検出手段６０と、スイッチ検出手段の検出結果と電源検出手段の検出結果とにもとづいて、処理装置の電源と表示装置の電源を制御する電源制御手段７０とを備える。【選択図】図２
2008233958.tif 000002
【特許請求の範囲】
【請求項１】
画像を処理する処理装置と、前記処理装置からの画像や外部入力画像を表示する表示装置とからなる情報表示装置において、
前記処理装置と前記表示装置とに共通のスイッチ手段と、
前記スイッチ手段の操作状態を検出するスイッチ検出手段と、
前記処理装置の電源と前記表示装置の電源の状態を検出する電源検出手段と、
前記スイッチ検出手段の検出結果と前記電源検出手段の検出結果とにもとづいて、前記処理装置の電源と前記表示装置の電源を制御する電源制御手段と、
を有することを特徴とする情報表示装置。
【請求項２】
請求項１記載の情報表示装置において、
外部入力画像の有無を検出する画像検出手段を更に有し、
前記電源制御手段は、前記スイッチ検出手段の検出結果と前記電源検出手段の検出結果のほかに、更に前記画像検出手段の検出結果にもとづいて、前記処理装置の電源と前記表示装置の電源を制御することを特徴とする情報表示装置。
【請求項３】
請求項１または２記載の情報表示装置において、
前記表示装置の電源がＯＮしている場合に、該表示装置上にユーザにより選択可能な電源制御の操作種別を表示する操作表示制御手段を更に有し、
前記電源制御手段は、ユーザにより選択された操作種別に基づいて前記処理装置の電源と前記表示装置の電源を制御することを特徴とする情報表示装置。
【請求項４】
請求項３記載の情報表示装置において、
前記操作表示制御手段は、更に処理装置の電源の状態や外部入力画像の有無を表示することを特徴とする情報表示装置。
【請求項５】
請求項３または４記載の情報表示装置において、
前記スイッチ手段は、前記操作種別に応じて異なるスイッチ操作を入力する機能を有し、
前記スイッチ検出手段は、前記異なるスイッチ操作の入力を検出する機能を有することを特徴とする情報表示装置。
【請求項６】
請求項３または４記載の情報表示装置において、
前記操作表示制御手段をユーザにより動作あるいは不動作とする手段を更に有することを特徴とする情報表示装置。
【発明の詳細な説明】
【技術分野】
【０００１】
本発明は、画像を処理する処理装置と、該処理装置からの画像や外部入力画像を表示する表示装置とを組み合わせた情報表示装置に関し、詳しくは、該処理装置及び表示装置の電源制御機能に関する。
【背景技術】
【０００２】
一般に処理装置と表示装置とを組み合わせた情報表示装置においては、処理装置と表示装置に共通の電源スイッチ（メインスイッチ）のほかに、処理装置と表示装置はそれぞれ個別に電源スイッチを備えていることが多い。さらに、処理装置は、動作時にＯＳをマウス等で操作することにより、電源スイッチを操作しなくてもソフト的に電源をＯＦＦする機能を備えている。
【０００３】
このような情報表示装置においては、メインスイッチのＯＮ／ＯＦＦ操作で一義的に処理装置及び表示装置の電源をＯＮ／ＯＦＦすると不具合を生じることがある。例えば、外部入力画像が存在する場合には、メインスイッチをＯＦＦしても、表示装置の電源はＯＮとして外部入力画像を表示させたい場合がある。そのため、ユーザが一々処理装置や表示装置の電源のＯＮ／ＯＦＦ状態等をチェックして電源スイッチを操作しているのが一般的であった。
【０００４】
一方、特許文献１には処理装置と表示装置及びアクセスポイント（ＡＰ）を組み合わせた表示システムにおいて、表示装置とＡＰと処理装置の電源を連動してＯＮまたはＯＦＦしたり、処理装置とＡＰの電源はＯＦＦ、表示装置のみ電源をＯＮとして継続して使用できるようにすることが開示されているが、処理装置や表示装置の電源の状態に応じてきめ細かに制御するには不十分である。
【０００５】
【特許文献１】特開２００５−１４９２５３号公報
【発明の開示】
【発明が解決しようとする課題】
【０００６】
従来の情報表示装置においては、ユーザが一々処理装置や表示装置の電源のＯＮ／ＯＦＦ状態等をチェックして電源スイッチを操作する必要があり、操作性、利便性が悪い問題があった。
【０００７】
本発明の目的は、ユーザの操作性、利便性が向上し、しかも処理装置、表示装置の電源ＯＮ／ＯＦＦをきめ細かに制御することかできる情報表示装置を提供することにある。
【課題を解決するための手段】
【０００８】
本発明は、画像を処理する処理装置と、前記処理装置からの画像や外部入力画像を表示する表示装置とからなる情報表示装置において、前記処理装置と前記表示装置とに共通のスイッチ手段と、前記スイッチ手段の操作状態を検出するスイッチ検出手段と、前記処理装置の電源と前記表示装置の電源の状態を検出する電源検出手段と、前記スイッチ検出手段の検出結果と前記電源検出手段の検出結果とにもとづいて、前記処理装置の電源と前記表示装置の電源を制御する電源制御手段とを有することを特徴とする。
【０００９】
また、本発明は情報表示装置において、外部入力画像の有無を検出する画像検出手段を更に有し、前記電源制御手段は、前記スイッチ検出手段の検出結果と前記電源検出手段の検出結果のほかに、更に、前記画像検出手段の検出結果にもとづいて、前記処理装置の電源と前記表示装置の電源を制御することを特徴とする。
【００１０】
また、本発明の情報表示装置は、前記表示装置の電源がＯＮしている場合に、該表示装置上にユーザにより選択可能な電源制御の操作種別を表示するＯＳＤ制御手段のような操作表示制御手段を更に有し、前記電源制御手段は、ユーザにより選択された操作種別に基づいて前記処理装置の電源と前記表示装置の電源を制御することを特徴とする。
【００１１】
また、本発明の情報表示装置は、前記操作表示制御手段は、更に処理装置の電源状態や外部入力画像の有無を表示することを特徴とする。
【００１２】
また、本発明の情報表示装置は、前記スイッチ手段は、前記操作種別に応じて異なるスイッチ操作を入力する機能を有し、前記スイッチ検出手段は、前記異なるスイッチ操作の入力を検出する機能を有することを特徴とする。
【００１３】
また、本発明の情報表示装置は、前記操作表示制御手段をユーザ動作あるいは不動作とする手段を更に有することを特徴とする。
【発明の効果】
【００１４】
本発明による情報表示装置の主な効果は以下の通りである。
（１）処理装置と表示装置に共通のスイッチがＯＮ／ＯＦＦ操作された時にもその時の処理装置及び表示装置の電源のＯＮ／ＯＦＦ状態に応じて、処理装置及び表示装置の電源をきめ細かにＯＮ／ＯＦＦ制御することが可能になり、操作性が向上する。
（２）処理装置と表示装置に共通のスイッチがＯＮ／ＯＦＦ操作された時に、その時の処理装置及び表示装置の無電源のＯＮ／ＯＦＦ状態に加えて、さらに表示装置の外部入力画像の有無も考慮して、処理装置及び表示装置の電源を更にきめ細かにＯＮ／ＯＦＦ制御することが可能になり、操作性が更に向上する。
（３）表示装置上にユーザによる電源制御のための操作の種類、電源ＯＮ／ＯＦＦ状態、画像入力有無などを表示することにより、ユーザの指示で処理装置や表示装置の電源を任意にＯＮ／ＯＦＦ制御することが可能になり、ユーザの操作性、利便性が更に向上する。
【発明を実施するための最良の形態】
【００１５】
以下、本発明の実施の形態について図面を参照して説明する。
【００１６】
図１は本発明による電源制御機能が適用される情報表示装置の一例を示す。本情報表示装置は、画像を処理して出力する処理装置１０と、該処理装置からの出力画像や複数の外部入力画像などを表示する表示装置２０からなり、該情報表示装置全体をＯＮ，ＯＦＦするスイッチ（メインスイッチ）３０を備えている。一般に処理装置１０と表示装置２０は、スイッチ３０とは別にそれぞれ個別に電源スイッチを有している。また、処理装置１０は、動作時にＯＳと呼ばれる基本ソフトをマウス等で操作することにより、スイッチ３０等を操作しなくても該処理装置１０の電源をＯＦＦにすることができる。
【００１７】
本発明は、このような情報表示装置において、スイッチ３０がＯＮ／ＯＦＦされた時、その時の処理装置１０と表示装置２０の電源のＯＮ／ＯＦＦ状態や外部入力画像の有無等に応じて、処理装置１０及び／又は表示装置２０の電源をＯＮ／ＯＦＦ制御して、操作性の向上等を図るものである。
【００１８】
図２は本発明の電源制御機能を備えた情報表示装置の第１の実施例を示すブロック図である。図２において、処理装置１０、表示装置２０、スイッチ３０は図１と同じである。処理装置１０はスイッチ３０とは別に個別の電源スイッチを有して、ユーザが該処理装置１０の電源である処理装置電源１２をＯＮ／ＯＦＦすることが可能である。さらに、処理装置１０は、動作中にＯＳをマウス等で操作することにより、自動的（ソフト的）に処理装置電源１２をＯＦＦする機能も備えている。表示装置２０もスイッチ３０とは別に個別の電源スイッチを有して、ユーザが該表示装置２０の電源である表示装置電源２２をＯＮ／ＯＦＦすることが可能である。スイッチ３０は処理装置１０と表示装置２０に共通の電源スイッチ（メインスイッチ）である。
【００１９】
スイッチ検出手段４０は、ユーザによるスイッチ３０のＯＮ／ＯＦＦ操作を検出する。該スイッチ検出手段４０には、スタンバイ電源５０を使用して給電するようにする。このため、スイッチ検出手段４０は、処理装置電源１２や表示装置電源２２がＯＮになる前から動作状態とすることができる。該スイッチ検出手段は、スイッチ３０がＯＮ／ＯＦＦ操作されると、その旨（スイッチ操作情報）を電源検出手段６０に送ると共に、スイッチ３０のＯＮ／ＯＦＦ操作状態を電源制御手段７０に送る。図では、省略したが、電源制御手段６０及び電源制御手段７０もスタンバイ電源５０から給電を受けるようにする。
【００２０】
電源検出手段６０は、スイッチ検出手段４０からスイッチ操作情報を受け取ると、それぞれ検出用給電線を介して、その時の処理装置電源１２及び表示装置電源２２のＯＮ／ＯＦＦ状態を検出し、その検出結果（電源検出結果）を電源制御手段７０に送る。検出用給電線は、それぞれ、例えば電源ＯＮでは所定電圧、電源ＯＦＦでは０電圧である。
【００２１】
電源制御手段７０は、スイッチ検出手段４０からのスイッチ３０のＯＮ／ＯＦＦ操作状態、及び、電源検出手段６０からの処理装置電源１２及び表示装置電源２２のＯＮ／ＯＦＦ状態にもとづいて、処理装置電源１２及び表示装置電源２２をＯＮ／ＯＦＦ制御する。
【００２２】
図３に本実施例における電源制御手段７０の動作真理値表の一例を示す。ケース１は装置起動時等の場合であり、処理装置１０及び表示装置２０がともに電源ＯＦＦの時、スイッチ３０がＯＮすると、電源制御手段７０は、処理装置電源１２及び表示装置電源２２をＯＮとする（情報表示装置起動）。ケース２は、情報表示装置が動作中に、処理装置１０のみと、ＯＳの立上げ等により単独で電源がＯＦＦとなった場合であり、スイッチ３０がＯＮする、電源制御手段７０は、処理装置電源１２をＯＮとする（処理装置再起動）。ケース４はケース２とは逆で、表示装置２０のみ電源がＯＦＦとなった場合であり、スイッチ３０がＯＮすると、電源制御手段７０は、表示装置電源２２をＯＮとする（表示装置再動作）。また、ケース３、５、６のように、ここでは、スイッチ３０がＯＦＦすると、本情報表示装置全体の遮断指示と見做して、電源制御手段７０は、その時ＯＮ状態にある処理装置電源１２及び／又は表示装置電源２２をＯＦＦとする（情報表示装置遮断）。
【００２３】
なお、電源制御手段７０は、図３に示すような動作真理値表をＬＵＴ（ルックアップテーブル）として内蔵し、スイッチ検出手段４０からのスイッチ３０のＯＮ／ＯＦＦ操作状態、及び、電源検出手段６０からの処理装置電源１２及び表示装置電源２２のＯＮ／ＯＦＦ状態をキーとしてＬＵＴを参照して、処理装置電源１２及び表示装置電源２２をＯＮ／ＯＦＦ制御することができる。
【００２４】
本実施例によれば、処理装置と表示装置に共通のスイッチがＯＮ／ＯＦＦ操作された時にもその時の処理装置及び表示装置の電源のＯＮ／ＯＦＦ状態に応じて、処理装置及び表示装置の電源をきめ細かにＯＮ／ＯＦＦ制御することが可能になり、操作性が向上する。
【００２５】
図４は本発明の電源制御機能を備えた情報表示装置の第２の実施例を示すブロック図である。図４中の、１０〜５０は図２と同様である。画像検出手段８０は、一つあるいは複数の外部入力画像に対して、入力の有無を検出し、その検出結果（画像検出結果）を電源制御手段７０に送る。電源制御手段７０は、スイッチ検出手段４０からのスイッチ３０のＯＮ／ＯＦＦ操作状態、電源検出手段６０からの処理装置電源１２及び表示装置電源２２のＯＮ／ＯＦＦ状態、及び、画像検出手段８０からの外部入力画像の有無状態に基づいて、処理装置電源１２及び表示装置電源２２をＯＮ／ＯＦＦ制御する。
【００２６】
図５は画像検出手段８０の具体的構成例で、ここでは、一つの外部入力画像に対する検出部のみを示している。画像検出手段８０は、このような検出部を各外部入力画像のポートごとに有している。
【００２７】
入力される画像としては、アナログＲＧＢのように、垂直同期信号と水平同期信号と、アナログの画像信号をもつもの、ＤＶＩのように伝送は差動信号で行われ、専用の受信器を介することで垂直同期信号、水平同期信号、データイネーブル信号、クロック画像データが出力されるもの等が一般的である。いずれにしても、専用の受信器を介すことで、デジタル化された画像信号と少なくとも垂直同期信号を持つ。各外部画像入力ごとに、この垂直同期信号を対応する検出部に入力する。
【００２８】
図５に示すように、検出部はカウンタ８０１と、該カウンタ８０１の動作中はＨ（１）、停止中はＬ（０）を出力するデコーダ８０２で構成される。カウンタ８０１は、垂直同期信号が入力されると、カウント値を０にしてカウントを開始する。該カウンタ８０１がカウントを開始すると、デコーダ８０2は直ちにＨ（１）（画像有）を出力する。カウンタ８０１は、正常な垂直同期信号が次に入力される期間より例えば１０%長くカウントし、もしもこのカウント期間に再び垂直同期信号が入力されなければ、カウントを停止する。該カウンタ８０１がカウントを停止すると、デコーダ８０２は直ちにＬ（０）（画像無）を出力する。一方、カウンタ８０１がカウントを停止する前に再び垂直同期信号が入力された場合は、カウンタ８０１は０に戻り、カウントを続行する。この場合、デコーダ８０２のＨ（１）出力はそのままである。このデコーダ８０２がＨ（１）を出力している検出部に垂直同期信号を入力している画像が、現在信号が入力されている外部入力画像である。
【００２９】
図５では、画像に付随する垂直同期信号を検出する例を示したが、勿論、これに限られるものではない。画像入力の有無が検出できれば、水平同期信号、データイネーブル、クロック、データ信号等を利用することもできる。
【００３０】
先に説明したように、画像検出手段８０では、一つあるいは複数の外部画像に対して、入力の有無を検出し、その検出結果を電源制御手段７０に送る。電源制御手段７０では、スイッチのＯＮ／ＯＦＦ操作状態、処理装置１０及び表示装置２０の電源ＯＮ／ＯＦＦ状態に加えて、外部入力電源画像の有無も参照して、処理装置電源１２及び表示装置電源２２をＯＮ／ＯＦＦ制御する。
【００３１】
図６に本実施例における電源制御手段７０の動作真理値表の一例を示す。ケース１、２は装置起動等の場合であり、処理装置１０及び表示装置２０がともに電源ＯＦＦの時、入入力画像の有無にかかわらず、スイッチ３０がＯＮすると、電源制御手段７０は、処理装置電源１２及び表示装置電源２２をＯＮとする（情報表示装置起動）。ケース３は、処理装置１０は、電源をＯＦＦとして不動作とし、表示装置２０の電源のみＯＮとして、外部入力画像の表示中に、該表示を終了とする場合であり、スイッチ３０がＯＦＦすると、電源制御手段７０は表示装置電源２２もＯＦＦとする（情報表示装置遮断）。ケース４は、外部入力画像がなくなった場合であり、この場合もスイッチ３０がＯＦＦすると、電源制御手段７０は、表示装置電源２２をＯＦＦとする。ケース５、６は、ケース３、４で処理装置１０を再起動する場合であり、スイッチ３０がＯＮすると、電源制御手段７０は、処理装置電源１２もＯＮとする（処理装置再起動）。ケース８〜１０は省略する。ケース１１は、処理装置１０と表示装置２０の電源がともにＯＮで、外部入力画像が存在する場合、スイッチ３０がＯＦＦすると（遮断指示）、電源制御手段７０は、処理装置電源１２のみＯＦＦして様子を見るものである。この場合、スイッチ３０が再びＯＦＦすると、ケース３のように表示装置電源２２もＯＦＦとなる。ケース１２は、外部入力画像がないため、スイッチ３０がＯＦＦすると（遮断指示）、電源制御手段７０は、処理装置電源１２と表示装置電源２２の両方をＯＦＦとする（情報表示装置遮断）。
【００３２】
本実施例でも、電源制御手段７０では、図６に示すような動作真理値表をＬＵＴとして内蔵し、スイッチ検出手段４０からのスイッチ３０のＯＮ／ＯＦＦ操作状態、電源検出手段６０からの処理装置電源１２及び表示装置電源２２のＯＮ／ＯＦＦ状態、及び、画像検出手段８０からの外部入力画像の有無状態をキーとしてＬＵＴを参照して、処理装置電源１２及び表示装置電源２２をＯＮ／ＯＦＦ制御することができる。
【００３３】
本実施例によれば、処理装置と表示装置に共通のスイッチがＯＮ／ＯＦＦ操作された時に、その時の処理装置及び表示装置の無電源のＯＮ／ＯＦＦ状態に加えて、さらに表示装置の外部入力画像の有無も考慮して、処理装置及び表示装置の電源を更にきめ細かにＯＮ／ＯＦＦ制御することが可能になり、操作性が更に向上する。
【００３４】
図７は本発明の電源制御機能を備えた情報表示装置の第３の実施例を示すブロック図である。本実施例は、表示装置の電源がＯＮしている場合に、表示装置上に電源制御のための操作の種類、操作方法などをＯＳＤ（オンスクリーンデータ）表示して、ユーザの指示により処理装置や表示装置の電源のＯＮ／ＯＦＦ制御をできるようにしたものである。
【００３５】
ここでは、表示装置の電源がＯＮしている場合に、以下の操作１〜３を表示装置上にＯＳＤ表示するとする。勿論、ＯＳＤ表示はこれに限られるものではない。
【００３６】
操作１  ：  処理装置再起動
操作２  ：  表示装置遮断
操作３  ：  遮断操作取消し
図７は、基本的に図4の構成にＯＳＤ制御手段（操作表示制御手段）９０とＯＳＤメモリ１００を追加したものであるが、画像検出手段がない図２の構成に該ＯＳＤ制御手段９０等を追加することもでもよい。ＯＳＤ制御手段９０は、表示装置電源２２がＯＮとしている場合に、ＯＳＤメモリ１００からＯＳＤデータを読出し、該ＯＳＤデータ、電源検出手段６０からの電源検出結果や画像検出手段８０からの画像検出結果などを表示装置２０に表示する。図８にこのＯＳＤ表示例を示す。
【００３７】
ユーザは、例えば、スイッチ３０の長押しで処理装置再起動（操作１）、短く２回押して表示装置遮断（操作２）、短く３回押して遮断操作取消し（操作３）など、スイッチ３０の操作方法をかえることで、所望の電源ＯＮ／ＯＦＦ制御を指示する。また、ＯＳＤ表示を利用しない場合には、通常通りにスイッチ３０をＯＮ、ＯＦＦする。なお、表示装置２０上には、操作１〜３に対応して、スイッチの操作方法も表示することでもよい。
【００３８】
スイッチ検出手段４０は、スイッチ３０の操作に応じて、通常のＯＮ，ＯＦＦ、操作１〜３を検出し、その検出結果を電源制御手段７０に送る。電源検出手段６０は、処理装置電源１２及び表示装置電源２２のＯＮ／ＯＦＦ状態を検出し、その検出結果を電源制御手段７０とＯＳＤ制御手段９０に送る。画像検出手段８０は、外部入力画像の有無を検出し、その検出結果を電源制御手段７０とＯＳＤ制御手段９０に送る。
【００３９】
電源制御手段７０は、スイッチ３０の操作状態（通常のＯＮ，ＯＦＦ、操作１〜３）、処理装置電源１２及び表示装置電源２２のＯＮ／ＯＦＦ状態、外部入力画像の有無に基づいて、処理装置電源１２及び表示装置電源２２をＯＮ／ＯＦＦ制御する。
【００４０】
図９に本実施例における電源制御手段７０の動作真理値表の一例を示す。図９は特に操作１〜３が関係するケースについてのみ示したもので、スイッチ３０の通常のＯＮ、ＯＦＦの場合は先の図６と同じであるので省略してある。図９中、操作１〜３の列の丸印は当該操作がユーザにより指示されたことを示している。例えば、ケース１は、処理装置１０の電源がＯＦＦ（ＯＳＤ表示利用の場合は表示装置電源は常にＯＮ）、外部入力画像有で、操作１（処理装置再起動）が指示された場合であり、この場合、電源制御手段７０は処理装置電源１２をＯＮとする。ケース２〜１２も同様にして、ユーザの指示により、電源制御手段７０は処理結果電源１２及び／又は表示装置電源２２をＯＮ／ＯＦＦ制御する。
【００４１】
本実施例によれば、表示装置上に電源制御のための操作の種類、操作方法などをＯＳＤ表示することにより、ユーザの指示で処理装置や表示装置の電源を任意にＯＮ／ＯＦＦ制御することが可能になり、ユーザの操作性、利便性が更に向上する。
【００４２】
なお、ここでは操作の種類、操作方法などを表示装置の通常の表示部分にＯＳＤ表示するとしたが、表示方法としては、表示装置の通常の表示部分以外等に、ドット、ドットマトリクス、ランプ、ＬＥＤ、その他で表示することでもよい。
【００４３】
図１０は本発明の電源制御機能を備えた情報表示装置の第４の実施例を示すブロック図である。本実施例は、図７の構成に第２のスイッチ３５を付加し、ユーザが該スイッチ２５を操作することで、ＯＳＤ制御手段（操作表示制御手段）９０を必要に応じて動作、不動作とすることができるようにしたものである。例えば、外部入力画像を表示する場合、ユーザはＯＳＤ制御手段９０を不動作として、ＯＳＤデータを非表示とする。逆に、外部入力画像が無くなったり、表示を中止する場合には、ＯＳＤ制御手段９０を再び起動して、ＯＳＤデータを表示する。本実施例によれば、ＯＳＤ表示に影響されないで外部入力画像を表示できるようになる。
【図面の簡単な説明】
【００４４】
【図１】本発明による情報表示装置の一例を示す図。
【図２】本発明の第１の実施例を示すブロック図。
【図３】第１の実施例の電源制御手段の動作真理値表の一例を示す図。
【図４】本発明の第２の実施例を示すブロック図。
【図５】第２の実施例の画像検出手段の構成例を示す図。
【図６】第２の実施例の電源制御手段の動作真理値表の一例を示す図。
【図７】本発明の第３の実施例を示すブロック図。
【図８】第３の実施例のＯＳＤ表示例を示す図。
【図９】第３の実施例の電源制御手段の動作真理値表の一例を示す図。
【図１０】本発明の第４の実施例を示すブロック図。
【符号の説明】
【００４５】
１０  処理装置
１２  処理装置電源
２０  表示装置
２２  表示装置電源
３０、３５  スイッチ
４０  スイッチ検出手段
５０  スタンバイ電源
６０  電源検出手段
７０  電源制御手段
８０  画像検出手段
９０  ＯＳＤ制御手段（操作表示制御手段）
１００  ＯＳＤメモリ
【図１】
2008233958.tif 000003
【図２】
2008233958.tif 000004
【図３】
2008233958.tif 000005
【図４】
2008233958.tif 000006
【図５】
2008233958.tif 000007
【図６】
2008233958.tif 000008
【図７】
2008233958.tif 000009
【図８】
2008233958.tif 000010
【図９】
2008233958.tif 000011
【図１０】
2008233958.tif 000012